(57)【要約】      （修正有）【課題】食器には、硬質素材製のものと軟質素材製のものがあるが、それぞれ長所／短所があり、安価で高機能のものはあまり見当たらなかった。【解決手段】ショアＡ硬度７０以上のシリコーン樹脂を素材としたカップ形の食器本体の器底外面に、ショアＡ硬度２０〜６０のシリコーン樹脂を素材とした吸盤を設けた。【選択図】図１
2015134006.tif 000002
【特許請求の範囲】
【請求項１】
ショアＡ硬度７０以上のシリコーン樹脂を素材としたカップ形の食器本体の器底外面に、ショアＡ硬度２０〜６０のシリコーン樹脂を素材とした吸盤を設けたことを特徴とする食器。
【発明の詳細な説明】
【技術分野】
【０００１】
この発明は食器、詳しくは機能性に富んだ食器に関するものである。
【背景技術】
【０００２】
食品や飲料をその中に収容し、飲食の用に供する食器は人間生活になくてはならぬ基本的な生活用具であり、古来より人類の進化と共に発達して来た。
【０００３】
従来において、食器の多くは陶磁器、ガラス、金属など硬質材料を素材としたものであり、軟質材料を素材とするものはわずかだった。
【先行技術文献】
【特許文献】
【０００４】
【特許文献１】なし
【非特許文献】
【０００５】
【非特許文献１】なし
【発明の概要】
【発明が解決しようとする課題】
【０００６】
硬質材料製の食器の場合、堅牢であり、耐久性にすぐれたものが多いが、反面、割れやすく、滑りやすいという欠点もあった。
従って、幼児や被介護者の喫食時には注意を要すると共に、自動車内、列車内、航空機内、船舶内など振動を伴う場所では、滑り落ちない様に、何らかの対策が必要であった。
【０００７】
一方、合成樹脂などの軟質材料を素材としたものは、割れるおそれはないが、熱に弱く、素材中に含まれている可塑剤などの成分が滲出するおそれがあり、健康上問題となることが多く、食器の素材としては、主流にはなれなかった。
【０００８】
本発明者は、食器の素材としての硬質材料と軟質材料の短所／長所を分析検討し、軟質材料の長所を生かしつつ、健康上問題がない、機能性にすぐれた食器を実現すべく鋭意研究を行った結果、新たな食器を完成するに至り、本発明として、ここに提案するものである。
【課題を解決するための手段】
【０００９】
ショアＡ硬度７０以上のシリコーン樹脂を素材としたカップ形の食器本体の器底外面に、ショアＡ硬度２０〜６０のシリコーン樹脂を素材とした吸盤を設けることにより、上記課題を解決した。
【発明の効果】
【００１０】
従来のカップ状の食器と同様に、食器本体の側面の内側に形成される窪みに食品や飲料を収容して喫食の用に供するものであるが、器底に吸盤が設けられているので、ガラス面、金属面、塗装面、合成樹脂面など表面が平滑であれば、吸盤を利用して所望の場所へ固定することが出来、自動車内や列車内など振動を伴う場所や、幼児の近くなどにも、滑り落ちの心配をすることなく、安定的に保持させることが可能である。
【００１１】
一方、食器本体はショアＡ硬度７０以上の軟質材料からなるので、食器本体の下部を握れば弾性変形し、それに伴い吸盤も歪んで、吸着面に空気が侵入して固定場所から容易に離脱させられる。
【００１２】
又、食器本体はシリコーン樹脂を素材としており、熱を加えても可塑剤などの健康上有害な物質が滲み出すおそれもないので、ガラスや陶磁器製のものと同様に、高温の液体や流動物などからなる飲料や食品を収容することが可能である。
更に、シリコーン樹脂は高い透明度を実現し得るので、透明ガラス製の食器の様な外観のものも作ることが出来、全く違和感なく透明ガラス製のものに代えることが出来る。
【００１３】
この様に、固定の容易さ、割れるおそれがない点、耐熱性、無害性、高い透明度などから、幼児や老人などの医療介護の場、自動車、列車、航空機、船舶など振動を伴う場所でのガラス製食器の代替品などとして大いに利用価値がある。
【図面の簡単な説明】
【００１４】
【図１】この発明に係る食器の実施例１の断面図。
【図２】同じく、他の実施例の断面図。
【発明を実施するための形態】
【００１５】
カップ形を呈した食器本体をショアＡ硬度７０以上のシリコーン樹脂で形成すると共に、その器底に、ショアＡ硬度２０〜６０のシリコーン樹脂製の吸盤を設けた点に最大の特徴が存する。
【実施例１】
【００１６】
図１はこの発明に食器の一実施例の断面図である。図１において、１は食器本体であり、筒状をなし、下端が器底３によって閉塞された有底筒形のカップ状を呈しており、ショアＡ硬度７０以上のシリコーン樹脂を素材としている。なお、この実施例においては食器本体１は側面２が直線状となっているが、側面２が曲線上となった壺形や碗形であっても良く、要するに、内部に飲食物を収容出来る窪み５があり、上部が開口したカップ状を呈していれば良いのである。
【００１７】
又、材質的には、シリコーン樹脂であることが肝要であり、それ以外の軟質合成樹脂は好ましくない。
更に、その硬度はショアＡ硬度が７０以上であることが必要であり、７０未満の場合は軟らかすぎて、飲食の際などにこれを握持した際の形状保持に難があり、好ましくない。
【００１８】
そして、この食器本体１の器底３には、ショアＡ硬度２０〜６０のシリコーン樹脂を素材とした吸盤４が、その吸着面６を外側（図１においては下方）に向けて設けられている。
【００１９】
吸盤４のショアＡ硬度を２０〜６０としたのは、十分な吸引力を持たせる為であり、これより軟らかくとも固くとも安定した吸着が出来ない為、好ましくない。
なお、図１に示す実施例においては、吸盤４の器底３への取り付けは、量産性にすぐれた２重成型の手法を用いて行ったが、図２に示す様に、器底３へ別途予め形成された吸盤４を接着剤により結合させても良い。
【００２０】
この実施例は上記の通りの構成を有するものであり、従来のカップ状の食器と同様に、食器本体の側面の内側に形成される窪み５に食品や飲料を収容して喫食の用に供するものであるが、器底３にして吸盤４が設けられているので、ガラス面、金属面、塗装面、合成樹脂面など表面が平滑であれば、吸盤４を利用して所望な場所へ自由に固定することが出来、自動車内や列車内など振動を伴う場所や、幼児の近くなどにも、滑り落ちの心配をすることなく、安定的に保持させることが可能である。
【００２１】
一方、食器本体１はショアＡ硬度７０以上の軟質材料からなるので、食器本体１の下部を握れば弾性変形し、それに伴い吸盤４も歪んで、吸着面６に空気が侵入して固定場所から容易に離脱させられる。
【００２２】
又、食器本体１はシリコーン樹脂を素材としており、熱を加えても可塑剤などの健康上有害な物質が滲み出すおそれもないので、ガラスや陶磁器製のものと同様に、高温の液体や流動物などからなる飲料や食品を収容することが可能である。
更に、シリコーン樹脂は高い透明度を実現し得るので、透明ガラス製の食器の様な外観のものも作ることが出来、全く違和感なく透明ガラス製のものに代えることが出来る。
【００２３】
この様に、固定の容易さ、割れるおそれがない点、耐熱性、無害性、透明性などから、幼児や老人などの医療介護の場、あるいは、自動車、列車、航空機、船舶など振動を伴う場所でのガラス製食器の代替品などとして大いに利用価値がある。
【産業上の利用可能性】
【００２４】
幼児や老人などの医療介護用、列車や航空機などの振動を伴う場所での使用はもちろん、一般家庭、飲食店などにおいても大いに利用可能である。
【符号の説明】
【００２５】
１．食器本体
２．側面
３．器底
４．吸盤
５．窪み
６．吸着面
【図１】
2015134006.tif 000003
【図２】
2015134006.tif 000004